(57)【特許請求の範囲】
【請求項１】
瘻孔に嵌入される呼吸保護装置であって、
中央軸線、末端部、近端部、第１開口部（１０１、２０１、３０１）及び第２の開口部（１０２、２０２、３０２）を有し、前記第２の開口部（１０２、２０２、３０２）が前記近端部に配置され、前記第１開口部（１０１、２０１、３０１）が、前記第２の開口部（１０２、２０２、３０２）と離れた位置であって、吸入において、前記第２の開口部（１０２、２０２、３０２）より上流に位置するように配置されたフィルタ収容部（１００、２００、３００）と、
前記フィルタ収容部（１００、２００、３００）に受容され、弾力性を有する熱―水分交換フィルタ（１０３、２０３、３０３）と、
前記第１開口部（１０１、２０１、３０１）を囲うバルブシート（１０５、２０５、３０５）と、
前記バルブシート（１０５、２０５、３０５）の円周方向に配置され、前記第１開口部（１０１、２０１、３０１）から離れる方向に軸方向で延び、前記第１開口部（１０１、２０１、３０１）から離れる方向に軸方向で延びる少なくとも１つのリブ（１０６、２０６、３０６）、及び中央軸線と直角をなす少なくとも一つの開口（１０８、２０８、３０８）を備えるレールと、
中央軸線に横平面に配列され、閉位置において、閉鎖して前記バルブシート（１０５、２０５、３０５）と係合するように調整され、前記レール内において、閉位置および開位置の間で往復運動するように配置されるバルブ部材（１０９、２０９、３０９）と、
軸方向の末端に前記バルブ部材（１０９、２０９、３０９）を開位置に押圧する復帰スプリングと、
を備え、
前記復帰スプリングは、前記熱―水分交換フィルタ（１０３、２０３）であり、前記バルブ部材（１０９、２０９、３０９）は、開位置において、前記レール（１０６、２０６）によって末端の運動から妨げられる呼吸保護装置。
【請求項２】
前記バルブ部材（１０９、２０９、３０９）は、前記バルブ部材（３０９）の周囲の端部に配置されたフック要素（３１０）により、末端の運度が妨げられ、
前記フック要素（３１０）は、前記フィルタ収容部（３００）のリップ（３１１）の周囲を把持する請求項１に記載の呼吸保護装置。
【請求項３】
前記レールの末端における開放端を有する溝によって、フック要素（３１０）は、前記レールの前記溝に嵌る請求項１又は２に記載の呼吸保護装置。
【請求項４】
前記レールの側壁は、前記開口（１０８、２０８、３０８）同士の間にリブ（１０６、２０６、３０６）を備える請求項１から３のいずれかに記載の呼吸保護装置。
【請求項５】
前記リブ（１０６）は、リング（１０７）と接続し、
前記バルブ部材（１０９）は、周囲に突起（１１０）を備え、
前記突起（１１０）は、前記開口（１０８）と係合し、前記バルブ部材（１０９）の末端部方向における軸方向の移動を止める請求項４に記載の呼吸保護装置。
【請求項６】
前記レールは、前記リブ（１０６）と接続するリング（１０７）を備え、
前記リング（１０７）の開口部は、前記バルブ部材（１０９）が通過することを許容しない請求項１に記載の呼吸保護装置。
【請求項７】
前記バルブ部材（２０９）は、可撓性材料（２１０）によって、前記レールの末端に取り付けられる請求項１に記載の呼吸保護装置。
【請求項８】
前記レールの側壁は、開口（２０８）同士の間にリブ（２０６）を備え、
前記リング（２０７）は、前記リブ（２０６）に接続され、
前記可撓性材料（２１０）は、前記リング（２０７）に取り付けられる請求項７に記載の呼吸保護装置。
【請求項９】
前記バルブ部材（２０９）は、周囲に突起が形成され、前記突起は、開口（２０８）をと係合し、前記バルブ部材（２０９）の末端部方向における軸方向の移動を止める請求項７に記載の呼吸保護装置。
【請求項１０】
前記リブ（１０６）と接続するリング（１０７）を備え、
前記リング（１０７）の開口部は、前記バルブ部材（１０９）が通過することを許容しない請求項７に記載の呼吸保護装置。
【請求項１１】
前記フィルタ収容部（１００、２００）は、前記第２の開口部（１０２、２０２）において、互いに非交差のアーム（１０４、２０４）を備え、
前記アーム（１０４、２０４）は、前記熱―水分交換フィルタ（１０３、２０３）のための停止具材を形成する請求項１から１０のいずれかに記載の呼吸保護装置。
【請求項１２】
前記バルブ部材（１０９）または前記可撓性材料（２１０）は、前記呼吸保護装置の周囲に面する外表面において、使用中に押される部分に、中心ボスを備える請求項１から１１のいずれかに記載の呼吸保護装置。
【発明の詳細な説明】
【技術分野】
【０００１】
本発明は、一般に喉頭切除又は気管切開された人の瘻孔に用いられる呼吸保護装置に関し、呼吸保護装置は、少なくとも一つの吸気口及び少なくとも一つの放出口を有するハウジングを備え、使用中に気流が、人の周囲から吸気口に流入し、吸気口から放出口へ通過し、人の気管に流入し、呼吸保護装置は、ハウジング内に、少なくとも一つの吸気口と少なくとも一つの放出口の間に熱―水分交換器を含み、使用中の気流は、吸気口から放出口へ通過するときに、熱―水分交換器を通過する。
【背景技術】
【０００２】
気管開口術（tracheostomy）は外科的処置であり、開口部は、首の前部の表面から気管へと形成される。この開口部は気管瘻孔（瘻孔、stoma）とよばれる。気管開口術の管は、瘻孔と気管との間に延在するように配置される。気管開口術は、例えば、神経系または呼吸経路に関連した損傷または疾患の結果として、十分な空気を得ることができなくなる機能不全が存在する場合に実施される。低肺活量の低下や呼吸器の必要性もまた、気管開口術を必要とする結果となる。
【０００３】
喉頭切除術は、例えば、癌腫を処置するために用いられる外科的処置であり、これは喉頭（ｌａｒｙｎｘ）又は喉頭（ｖｏｉｃｅ  ｂｏｘ）を除去して、瘻孔を生成することを含む。この処置の結果、気管は咽頭に接続しなくなり、瘻孔に回される。この処置の後は、通常の鼻の機能は不可能となる。呼吸が通常に機能している被験者において、鼻および鼻腔に位置する粘膜は、吸い込んだ空気を調節するという点で重要な機能を果たす。複雑な経路と豊富な血液の供給は、吸入吸気の温度と湿度を上昇させ、肺の表面におけるこれらのパラメータとの相違を最小限にするのに役立つ。通常、いくらかの熱と湿気はまた、吸入空気が環境に排出される前に捕捉される。鼻道のこの粘膜はまた、細かな埃の粒子、汚染物質及び微生物のような特定のものを、吸入空気から除くのに役立ち、繊毛の動きは粘液及びいかなる粒子も肺から遠ざけるように移動させる。
【０００４】
患者が喉頭切除術を受けたときには、事実上、すべての吸入空気は瘻孔を経由して肺に入り、鼻は事実上、吸入プロセスに関与しない。呼気は気管フィステルを通るか、あるいは、もしも人口発声器官（ヴォイスプレテーゼ）が装着されている場合には、瘻孔が塞がれて、呼気が人口発生器官を経由して咽頭及び口に廻され、患者が話すことを可能にする。呼気の流れが、瘻孔のバルブによって制御されることが望ましい。これらの状況において、そのバルブは呼吸している間は開き続けるように調整され、呼気の流れが少しでも増加すると、空気の流れをそらすために閉じられる。
【０００５】
この点において、フィルタ装置および呼吸保護装置が、吸い込んだ空気を湿らせ、その吸い込んだ空気中の微粒子および細菌性の物質を取り除くことができるように開発されている。これは、鼻の機能に類似するものである。しかしながら、このような装置の製造に関するいくつかの問題が存在する。第１に、そのような装置のユーザは、サイズ（例えば、その装置の表面積など）をできるだけ小さく保ちつつ、質の良い保湿および濾過効果を必要とする。第２に、保湿効果および濾過効果を得るには、装置において、大きな表面積を必要とするとともに、大きな抵抗（ｒｅｓｉｓｔａｎｃｅ）が生じないようにする必要がある。これらの基準は相反するものであり、観察力の鋭い読者は既に理解することである。また、喉頭切除術を受けた人は、会話をしたいときには、指や親指をこれらの装置の上に押さえる必要があり、それによって、気管壁を介したこの装置および瘻孔を介する空気の流れを妨げ、ユーザの指からフィルタへ不純物が移動するため、不必要な汚染でフィルタに負担をかける。また、仮に、患者が意識不明となった場合、衣類等が、この装置を通る空気の流れを妨げることもある。
【発明の概要】
【発明が解決しようとする課題】
【０００６】
ＵＳ５，７３８，０９５には、中央に位置するピストンにより装置の中央軸線に沿って移動可能なディスクとして形成された押しボタンを有する装置が開示されている。このようなディスクは、バネ装置に付勢され、装置の近端部のバルブシートと協同するために操作可能である。ＵＳ５，７３８，０９５の装置は、軸方向において、装置の端部まで伸びて、軸方向の閉鎖力と装置の横断面の上方からの動作のみ許容するレールも備えている。これにより、装置の閉塞による危険を最小化する安全なメカニズムを提供する。しかしながら、中央に位置されたピストン及びバネ装置は、装置の有効なフィルタ量を減少させる。また、当該技術分野において、バネ装置は製造するのがより容易であるという利益がある。
【０００７】
ＵＳ６，７７２，７５８には、瘻孔に適用され、吸気口と瘻孔とを連通する熱―水分熱交換器本体を備えた呼吸保護装置が開示されている。閉鎖蓋が熱―水分交換器に取り付けられ、直接バルブシートと協同することによって、又は、バルブシートに対して熱―水分交換器を押し込むことによって、連通を閉鎖するために押下可能である。
しかしながら、熱―水分交換器と上記蓋との間には、接着剤が必要である。さらにまた、上記蓋が直接バルブシートと協同するためには、熱―水分交換器の一部が除外されなければならない。さもなければ、熱―水分交換器は、上記蓋とバルブシートとの間で圧迫され、熱―水分交換器が不必要に歪み、閉鎖動作の妨げとなる。
また、ＵＳ６，７７２，７５８の装置は、当該装置の末端まで軸方向に伸び、軸方向の閉鎖力と装置の横断面の上方からの動作のみ許容するレールを欠いている。
【０００８】
それ故、改良型の呼吸保護装置は、有益である。特に、呼吸保護装置のハウジング内に形成された空間において最大限の加湿効果を得ることができ、また、話している全ての期間において上記開口の上に指を置くことによるフィルタの過度の汚染がなく、また、接着剤のような、湿った環境や歪みの反復による劣化する傾向のある不適当な物質を用いる必要がなく、例えば、会話している間、患者が呼吸保護装置を閉鎖できる可能性を提供でき、小さく形成されているにもかかわらず、従来の呼吸保護装置よりも十分な抵抗力を有する呼吸保護装置を提供しつつ、優れた加湿効果を得ることが可能な呼吸保護装置を提供することも有利な点である。この呼吸保護装置は、呼吸保護装置が閉塞する危険を最小限にしつつ、製造容易なバネ装置を備える、ことも提供できる。
【課題を解決するための手段】
【０００９】
したがって、本発明は、上記の従来技術の不足を一つ以上、緩和し、軽減し、除去して、関連する種類の改良型の呼吸保護装置を提供する。
この目的のために、呼吸保護装置は、弾力性を有する熱―水分交換フィルタを蓋の開位置に圧入するという点を特徴とする。
【００１０】
本発明の有利な特徴は、従属クレームにおいても定められる。
【図面の簡単な説明】
【００１１】
本発明が可能とするこれらの観点、特徴及び優位性は、添付図面が参照されつつ、以下の本発明の実施形態の記述から明らかになり、説明される。
【図１】本発明の一実施例の呼吸保護装置の断面図である。
【図２】（ａ）および（ｂ）は、図１の実施例による呼吸保護装置の斜視図である。
【図３】本発明の一実施例の呼吸保護装置の断面図である。
【図４】本発明の一実施例による呼吸保護装置の斜視図である。
【発明を実施するための形態】
【００１２】
以下の記載は、呼吸保護装置、特に、咽頭摘出された、または気管を切開された人の瘻孔（この瘻孔はその人の気管と通じている）において用いられる呼吸保護装置に適用可能な本発明の実施形態に焦点を当てる。
【００１３】
本発明の一実施例による呼吸保護装置は、図１、２ａ及び２ｂに示される。そして、呼吸保護は、円筒状フィルタ収容部１００を備える。
呼吸保護装置は、喉頭切除術か気管開口術を受けた人の瘻孔に用いられる呼吸保護装置であってもよい。
【００１４】
円筒状フィルタ収容部１００は、末端部、近端部および一端部から他端部まで中央軸線を有する。円筒状フィルタ収容部１００は、第１開口部１０１および第２の開口部１０２を有する。これにより、使用中において気流は、患者の周囲から第１開口部１０１より、第２の開口部１０２へ通過することで、患者の気管に入る。
第２の開口部１０２は、呼吸保護装置の近端部に配置されている。そして、第２の開口部１０２は、例えば、フィルタ収容部１００の近端部に配置されていてもよく、第１開口部１０１は、第２の開口部１０２から離れて位置する。すなわち、第１開口部１０１は、吸入中において、第２の開口部１０２の上流に位置する。
熱―水分交換フィルタ１０３は、円筒状フィルタ収容部１００に受容されている。
フィルタ収容部１００の第２の開口部１０２には、放射状又は斜めのアーム１０４が形成され、熱―水分交換フィルタ１０３を受容する留め具を形成していて、放射状又は斜めのアーム１０４と第２の開口部１０２の周辺との間の開口部は、吸入における呼吸用空気の放出口を構成し、その結果、放出における呼吸用空気の吸気口を構成する。
フィルタ収容部１００の第２の開口部１０２が、第２の開口部１０２全体に伸びるアーム１０４を備えた場合、これらのアーム１０４は、近傍の熱―水分交換フィルタ１０３の移動を妨げることができる。これらのアーム１０４は、図２ｂに示すように、例えば、平行または実質的に平行となる互いに交差しない方法で配置されてもよい。このように配置されることで、アーム１０４は、第２の開口部１０２の清掃を簡単にする。
【００１５】
第１開口部１０１は、円筒状フィルタ収容部１００の第２の開口部１０２から離れた位置に、設けられている。
熱―水分交換フィルタ１０３は、呼吸保護装置が開位置のときに、第１および第２の開口部の範囲内にその一部が位置し、呼吸保護装置が閉鎖位置のときに、第１および第２の開口部の範囲内に全体が位置する。
第１開口部は、バルブシート１０５で囲まれている。
即ち、バルブシート１０５は、第１開口部周辺に配置される。
バルブシート１０５から放射状におよび／またはバルブシート１０５の円周方向に外側に向かってレールは、第１開口部１０１から軸方向に離れる方向に伸びている。レールは、第１開口部１０１から軸方向に離れる位置に伸びるリブ１０６を含む。
リング１０７は、リブ１０６を呼吸保護装置の末端に接続する。
リブ１０６同士の間であって、リング１０７の近傍には、開口１０８が形成されている。開口１０８は、少なくとも図１に示すように、ハウジング１００の中央軸線と直交する方向に形成することができる。開口１０８は、放出における呼吸用空気の放出口を構成し、その結果、吸入における呼吸用空気の吸気口を構成する。
このように、熱―水分交換フィルタ１０３は、ハウジング１００にける、開口１０８と第２の開口部１０２との間に位置する。これにより、吸入において気流は第２の開口部１０２から開口１０８へ通過するとき、熱―水分交換フィルタ１０３を通過する。
【００１６】
リング１０７の近傍であって、バルブシート１０５から離れた位置に、バルブ部材、例えば、円形の蓋１０９が設けられている。円形の蓋１０９は、第１開口部１０１をカバーする表面エリアを有する。これにより、円形の蓋１０９は第１開口部１０１を閉じるようにバルブシート１０５の周囲に位置する。バルブ部材、例えば、蓋１０９は、このように、呼吸保護装置の中央軸線上であって、横断平面に配置されてもよい。バルブ部材１０９は、閉位置において、閉鎖してバルブシート１０５と係合するように調整され、レール内において、閉位置および開位置の間で往復運動するように配置される。円形の蓋１０９は、軸変位を考慮した直径を有するとともに、リブ１０６に囲まれた範囲において、円筒状フィルタ収容部１００の中央軸線に関する横断平面に配置されている。
リング１０７の開口部は、蓋１０９が通過することを許容しない。これは、リング１０７の直径が、円形の蓋１０９の直径より小さい場合に達成される。
円形の蓋１０９には、周囲に、放射状に延出する突起１１０が形成され、突起１１０は、開口１０８と係合し、蓋１０９の末端部方向への軸方向の移動を止めることができる。蓋／バルブ部材１０９は、例えば、開位置において、レールによって、末端の動きが妨げられる。
【００１７】
一実施例において、レール、例えば、リング１０７は、その内部に放射状に伸びる突起を備えている。この突起は、蓋１０９を適切な位置に保つ。
本実施例における蓋１０９上の突起１１０は、必要がなく、この種の可能性さえ除外されず、本発明の範囲内に含まれる。
【００１８】
熱―水分交換フィルタ１０３は、可撓性／強い材料、例えば弾力性フォーム、である。さらにまた、熱―水分交換フィルタ１０３の寸法は、蓋１０９をリング１０７に向かって末端側に押圧するのに適した寸法である。熱―水分交換フィルタ１０３は、熱―水分交換器および復帰スプリングとして作用し、軸方向の末端に蓋１０９を開位置に押圧する。
話をするために、蓋１０９は、蓋１０９がバルブシート１０５に位置するか裁置され、そして、第１開口部１０１をカバーし、これにより、第１開口部が閉じるまで、指からの圧力を受ける。これにより、気管と周囲の環境との連通が閉じる。
呼吸保護装置は、それが衣類によってカバーされる場合であっても、このように閉じることができる。同時に、呼吸保護装置は、話をする間、指によってのどに対して押圧されるので、瘻孔から離れるのが防止される。
【００１９】
放射状の斜めのアーム１０４と蓋１０９は、その形状のため、熱―水分交換フィルタ１０３を適所にある状態に保つ。熱―水分交換フィルタ１０３が同時にリターンスプリングとして作用することで、蓋１０９は、軽減されていた圧力の後、その開位置に弾性によって戻る。
【００２０】
リング１０７内の軸方向、末端方向の力が、バルブ部材を閉じるために適用されなければならないところ、リブ１０６及びリング１０７は、バルブ部材が不注意により閉じてしまうリスクを低減する。
蓋１０９はその初期位置において熱―水分交換フィルタ１０３と接触し閉じているので、熱―水分交換フィルタ１０３の容量は、呼吸保護装置において最大であり、そして、呼吸保護装置が開くと、即ち、蓋１０９がその外側の非作動位置においてあるときに、呼吸用空気は、直接熱―水分交換フィルタ１０３と接触して、開口１０８を通過する。
【００２１】
図２ａおよび２ｂは、それぞれ、図１に示す実施例を上から見た斜視図、下から斜視図であり、斜めのアーム１０４、バルブシート１０５、リブ１０６、リング１０７、開口１０８、蓋１０９および突起１１０を、より明らかに確認する図である。
【００２２】
本発明の他の実施例の呼吸保護装置は、図３に示される。そして、呼吸保護装置は、円筒状フィルタ収容部２００を備える。呼吸保護装置は、喉頭切除術か気管開口術を受けた人の瘻孔に用いられる呼吸保護装置に適用できる。
【００２３】
円筒状フィルタ収容部２００は、末端部、近端部および一端部から他端部まで中央軸線を有する。円筒状フィルタ収容部２００は、第１開口部２０１および第２の開口部２０２を有する。
吸入の間の気流は、第２の開口部２０２から第１開口部２０１を通って、患者の周囲から患者の気管を通過する。
第２の開口部２０２は、呼吸保護装置の近端部にある。第２の開口部２０２は、例えば、フィルタ収容部２００の近端部にあってもよい。そして、第１開口部２０１は、第２の開口部２０２の中で離れた位置に配置される。これにより、吸入において、第１開口部２０１は、第２の開口部２０２より上流に配置される。
熱―水分交換フィルタ２０３は、円筒状フィルタ収容部２００に受容されている。フィルタ収容部２００の第２の開口部２０２は、熱―水分交換フィルタ２０３のための停止具材として、放射であるか斜めのアーム２０４を備えもよい。放射状又は斜めのアーム２０４と第２の開口部２０２の周辺との間の開口部は、吸入における呼吸用空気の放出口を構成し、放出における呼吸用空気の吸気口を構成する。
【００２４】
円筒状フィルタ収容部２００の第２の開口部２０２の離れた位置には、第１開口部２０１が設けられている。
熱―水分交換フィルタ２０３は、呼吸保護装置が開位置のときに、第１および第２の開口部の範囲内にその一部が位置し、呼吸保護装置が閉鎖位置のときに、第１および第２の開口部の範囲内に全体が位置する。
第１開口部は、バルブシート２０５に囲まれている。
即ち、バルブシート２０５は、第１開口部２０１周辺に配置される。
バルブシート２０５から放射状におよび／またはバルブシート２０５の円周方向に外側に向かってレールは、第１開口部２０１から軸方向に離れる方向に伸びている。レールは、第１開口部２０１から軸方向に離れる位置に伸びるリブ２０６を含む。
リング２０７は、リブ２０６を呼吸保護装置の末端に接続する。リブ２０６同士の間であって、リング２０７の近傍には、開口２０８が形成されている。開口２０８は、放出における呼吸用空気の放出口を構成し、その結果、吸入における呼吸用空気の吸気口を構成する。
熱―水分交換フィルタ２０３は、ハウジング２００にける、開口２０８と第２の開口部２０２との間に位置する。これにより、吸入において気流は第２の開口部２０２から開口２０８へ通過するとき、熱―水分交換フィルタ２０３を通過する。
【００２５】
実質的に、リング２０７と同じ横平面上であって、バルブシート２０５から離れた位置に、バルブ部材、例えば、円形の蓋２０９は、設けられている。円形の蓋２０９は、第１開口部２０１をカバーする表面エリアを有する。これにより、円形の蓋２０９は第１開口部２０１を閉じるようにバルブシート２０５の周囲に位置する。円形の蓋２０９は、軸変位を考慮した直径を有するとともに、円形の蓋２０９は、リブ２０６に囲まれた範囲において、円筒状フィルタ収容部２００の横断平面に配置されている。円形の蓋２０９は、円形の可撓性カバー２１０に取り付けられている。可撓性カバー２１０の反発力によって、可撓性カバー２１０は押し下げ可能であり、軸方向近傍において、リング２０７に取り付けられるまで、蓋２０９をバルブシート２０５に閉鎖して適合するように押し込む。バルブ部材、例えば、蓋２０９は、そのとき、呼吸保護装置の中央軸線上であって、横平面に配置される。
バルブ部材２０９は、閉位置において、閉鎖してバルブシート２０５と係合するように調整され、レール内において、閉位置および開位置の間で往復運動するように配置されている。蓋／バルブ部材２０９は、例えば、開位置において、レールによって、末端の動きが妨げられる。
【００２６】
別実施例によれば、円形の蓋２０９には、周囲に、放射状に延出する突起が形成され、突起は、開口２０８と係合し、蓋２０９の末端部方向における軸方向の移動を止めることができる。これにより、可撓性カバー２１０に対する過度の圧力を軽減できる。そして、たとえ、可撓性カバー２１０とリング２０７との間における、接着剤またはスナップ式の機能を備えるアタッチメントが破損したとしても、蓋２０９を適切な位置に保つことができる。
下記に示す効果において、呼吸保護装置の外観を変えるという可能性を提供すると共に、蓋２０９および可撓性カバー２１０の組合せは、蓋２０９およびバルブシート２０５の間における明らかな相互作用を提供する。
可撓性カバー２１０は、例えば、呼吸保護装置の外表面を滑らかにし、指への摩滅を最小化できる。また、可撓性カバー２１０は、レールと蓋２０９の間に異物が詰まることにより、呼吸が損なわれるというリスクを最小化できる。
【００２７】
円形の可撓性カバー２１０は、リング２０７の周囲に取り付けられる。
熱―水分交換フィルタ２０３は、可撓性／強い材料、例えば弾力性フォーム、である。さらにまた、熱―水分交換フィルタ２０３の寸法は、蓋２０９を円形の可撓性カバー２１０に押圧するのに適した寸法である。例えば、熱―水分交換フィルタ２０３は、熱―水分交換器および復帰スプリングとして作用し、軸方向の末端に蓋２０９を開位置に押圧する。
話をするために、蓋２０９は、蓋２０９がバルブシート２０５に位置するか裁置され、そして、第１開口部２０１をカバーし、これにより、第１開口部が閉じるまで、指からの圧力を受ける。これにより、気管と周囲の環境との連通が閉じる。
呼吸保護装置は、それが衣類によってカバーされる場合であっても、このように閉じることができる。同時に、呼吸保護装置は、話をする間、指によってのどに対して押圧されるので、瘻孔から離れるのが防止される。
【００２８】
放射状の斜めのアーム２０４と円形の可撓性カバー２１０は、その形状のため、熱―水分交換フィルタ２０３を適所にある状態に保つ。
熱―水分交換フィルタ２０３が同時にリターンスプリングとして作用することで、蓋２０９は、軽減されていた圧力の後、その開位置に弾性によって戻る。開位置において、蓋２０９は、可撓性カバー２１０により離れた位置に止められている。
【００２９】
リング２０７内の軸方向、末端方向の力が、バルブ部材を閉じるために適用されなければならないところ、リブ２０６及びリング２０７は、バルブ部材が不注意により閉じてしまうリスクを低減する。
蓋２０９は、その初期位置において熱―水分交換フィルタ２０３と接触し閉じているので、熱―水分交換フィルタ２０３の容量は、呼吸保護装置において最大であり、そして、呼吸保護装置が開くと、即ち、蓋２０９がその外側の非作動位置にあるときに、呼吸用空気は、直接熱―水分交換フィルタ２０３と接触して、開口２０８を通過する。
【００３０】
図４は、本発明の他の実施例の呼吸保護装置を示す。そして、呼吸保護装置は、円筒状フィルタ収容部３００を備える。
呼吸保護装置は、喉頭切除術か気管開口術を受けた人の瘻孔に用いられる呼吸保護装置に適用できる。
【００３１】
円筒状フィルタ収容部３００は、末端部、近端部および一端部から他端部まで中央軸線を有する。中央軸線を有する。図１乃至３に示す実施例と同様に、円筒状フィルタ収容部３００は、第１開口部３０１および第２の開口部３０２を有する。
吸入の間の気流は、第２の開口部３０２から第１開口部３０１を通って、患者の周囲から患者の気管を通過する。
第２の開口部３０２は、呼吸保護装置の近端部にある。第２の開口部３０２は、例えば、フィルタ収容部３００の近端部にあってもよい。
そして、第１開口部３０１は、第２の開口部３０２の中で離れた位置に配置される。これにより、吸入において、第１開口部３０１は、第２の開口部３０２より上流に配置される。
熱―水分交換フィルタ３０３は、円筒状フィルタ収容部３００に受容されている。
フィルタ収容部３００の第２の開口部３０２は、熱―水分交換フィルタ３０３のための停止具材として、放射であるか斜めのアームを備えもよい。放射状又は斜めのアーム間の開口部および第２の開口部３０２の周辺は、吸入における呼吸用空気の放出口を構成し、その結果、放出における呼吸用空気の吸気口を構成する。
このことは、図１乃至３に示す実施例と同様である。
【００３２】
円筒状フィルタ収容部３００の第２の開口部３０２の離れた位置には、第１開口部３０１が設けられている。
熱―水分交換フィルタ３０３は、呼吸保護装置が開位置のときに、第１および第２の開口部の範囲内にその一部が位置し、呼吸保護装置が閉鎖位置のときに、第１および第２の開口部の範囲内に全体が位置する。
第１開口部は、図１乃至３に示すバルブシート１０５又は２０５に対応するバルブシート３０５に囲まれている。即ち、バルブシート３０５は、第１開口部３０１周辺に配置される。
バルブシート３０５から放射状におよび／またはバルブシート３０５の円周方向に外側に向かってレールは、第１開口部３０１から軸方向に離れる方向に伸びている。レールは、第１開口部３０１から軸方向に離れる位置に伸びるリブ３０６を含む。
バー３０７は、呼吸保護装置の末端のリブ３０６に接続する。
リブ３０６同士の間であって、バー３０７の近傍には、開口３０８が形成されている。開口３０８は、放出における呼吸用空気の放出口を構成し、その結果、吸入における呼吸用空気の吸気口を構成する。
熱―水分交換フィルタ３０３は、ハウジング３００にける、開口３０８と第２の開口部３０２との間に位置する。これにより、吸入において気流は第２の開口部３０２から開口３０８へ通過するとき、熱―水分交換フィルタ３０３を通過する。
【００３３】
実質的に、バー３０７と同じ横平面上であって、バルブシート３０５から離れた位置に、バルブ部材、例えば、円形の蓋３０９は、設けられている。円形の蓋３０９は、第１開口部３０１をカバーする表面エリアを有する。これにより、円形の蓋３０９は第１開口部３０１を閉じるようにバルブシート３０５の周囲に位置する。円形の蓋３０９は、軸変位を考慮した直径を有するとともに、円形の蓋３０９は、リブ３０６に囲まれた範囲において、円筒状フィルタ収容部３００の横断平面に配置されている。
【００３４】
円形の蓋３０９は、蓋３０９の端の近傍に延びる、少なくとも２つの周辺フック要素３１０を備えている。
フック要素３１０は、蓋を適正な位置に保持するために、リップ３１１を把持するように形成されている。これにより、フック要素３１０がリップ３１１と係合したときには、蓋３０９の末端部方向における軸運動を妨げることができる。
蓋／バルブ部材３０９は、例えば開位置のフック要素３１０によって、末梢部の運動から妨げられる。
レールの末端における開放端を有する溝によって、フック要素３１０は、このレールの溝に嵌る。
【００３５】
しかしながら、図１乃至４に示す実施例を組み合わせた実施例において、フック要素３１０が、リング１０７の近傍において、開口１０８を通って延び、リップ３１１を把持することも可能である。
【００３６】
熱―水分交換フィルタ３０３は、可撓性／強い材料、例えば弾力性フォーム、である。さらにまた、熱―水分交換フィルタ３０３の寸法は、蓋３０９を、フック要素３１０が、蓋３０９の軸上及び末端の動きを止めるリップ３１１と係合するまで押圧するのに適した寸法である。
図１乃至３に示す熱―水分交換フィルタ１０３及び２０３と同様に、例えば、熱―水分交換フィルタ３０３は、熱―水分交換器および復帰スプリングとして作用し、軸方向の末端に蓋３０９を開位置に押圧する。
フック要素３１０と円形の蓋３０９は、その形状のため、熱―水分交換フィルタ３０３を適所にある状態に保つ。
熱―水分交換フィルタ３０３が同時にリターンスプリングとして作用することで、蓋３０９は、軽減されていた圧力の後、その開位置に弾性によって戻る。
【００３７】
上記実施例と同様に、軸方向、末端方向の力が、バルブ部材を閉じるために適用されなければならないところ、図４の実施例に示すリブ３０６は、バルブ部材が不注意により閉じてしまうリスクを低減する。
蓋３０９はその初期位置において熱―水分交換フィルタ３０３と接触し閉じているので、熱―水分交換フィルタ３０３の容量は、呼吸保護装置において最大であり、そして、呼吸保護装置が開くと、即ち、蓋３０９がその外側の非作動位置においてあるときに、呼吸用空気は、直接熱―水分交換フィルタ３０３と接触して、開口を通過する。
【００３８】
好ましくは、フック要素３１０は、蓋３０９周辺で互いに対向した位置に設けられ、これにより、蓋３０９を中心において、リブ３０６の末端の近傍と水平に維持する機能を改良できる。
【００３９】
もう一つの実施例では、蓋３０９は、単一のフック要素３１０を備える。
これにより、蓋３０９を適正に保つ動作は、図４に示すフック要素３１０と、図１と２に示す少なくとも一つの突起１１０、即ち、開口３０８と協働する突起によって達成される。
【００４０】
熱―水分交換フィルタ３０３は、図１〜３の実施例による熱―水分交換フィルタ１０３、２０３と同様熱―水分交換フィルタである。
熱―水分交換フィルタの材料は、流通通路の中に配置さる必要があるとともに、ランダムに配向された流通通路に対してオープン構造である必要がる。この材料は、リング１０７，可撓性カバー２１０又はバー３０７の方へ、蓋１０９、２０９、３０９をそれぞれ押すために、十分な弾性を有する材料である、紙、発泡プラスチック、異なる繊維でできている詰め物又はこれらの組み合わせで、構成されている。これは、水分を吸収している物質を含浸することもできる。さらにまた、材料の孔または割れ目がいかなる特別な方向性を有さない方が有利である。これにより、呼吸用空気は、意図した方向に屈折させるために、より多くの方向から上記材料を通過することができる。
【００４１】
一実施例によれば、リブ１０６、２０６、３０６は、リング、例えば、リング１０７、２０７又はバー３０７に接続させないこともできる。その代わりに、リブ１０６、２０６、３０６は、蓋１０９、２０９、３０９を囲むために、その末端を内部に曲げてもよい。リブ２０６がリング２０７に接続しない場合、可撓性カバー２１０を直接リブ２０６に取り付けてもよい。
【００４２】
一実施例において、呼吸保護装置のバルブ部材１０９、３０９または可撓性材料２１０は、呼吸保護装置の周囲に面する外表面において、使用中に押される部分に、中心ボス１１１、２１１を備える。中心ボス１１１、２１１は、呼吸保護装置で最高の閉鎖効果を得ることができるところに、使用者を誘導する。
本発明の実施例による呼吸保護装置は、公知の容器に挿入し、瘻孔に適用してもよい。
【００４３】
上述の実施形態においては、喉頭切除術か気管開口術を受けた人の瘻孔において用いられる呼吸保護装置が記載されている。この呼吸保護装置は、少なくとも１つの流入口および少なくとも１つの流出口で構成されており、使用時に、空気の流れは、この人の周囲から、その流入口を介して流出口へ、そしてその人の気管へと流れる。
当業者に明らかであるように、特定的に開示されていなくとも、流入口および流出口は、既に開示された特定の流入口および流出口を単に分割することによって、流入口および流出口は増加された量に分割され得る。
【００４４】
本発明の実施形態の要素および構成要素は、任意の適切な方法において物理的に、機能的に、および論理的に実施されてよい。実際には、その機能性は、単一のユニットで、複数のユニットで、または他の機能ユニットの一部として実施されてよい。よって、本発明は、単一のユニットにおいて実施されてよく、または、異なるユニット間において、物理的および機能的に分配されてよい。
【００４５】
本発明は特定の実施形態を参照して上述されているが、本明細書において説明される特定の形態に限定されることを意図されてはいない。むしろ、本発明は、添付の特許請求の範囲によってのみ限定され、上述で特定されたもの以外の実施形態もまた、これらの添付された特許請求の範囲内で等しく可能である。
【００４６】
特許請求の範囲内における用語「備える（含む）／備えている（含んでいる）（ｃｏｍｐｒｉｓｅ／ｃｏｍｐｒｉｓｉｎｇ）」は、他の要素または工程の存在を排除しない。
さらに、個々に挙げられてはいるが、複数の手段、要素、または方法工程は、例えば、単一のユニットまたはプロセッサによって実施されてよい。さらに、個々の特徴が異なる請求項において含まれてよいが、これらは、有利に組み合わせることも可能であってよく、異なる請求項において含まれることは、特徴の組み合わせが実行可能ではない、および／または有利ではないということを含意しない。さらに、単数の言及は複数を排除しない。
用語「１つの（ａ）」、「１つの（ａｎ）、」「第１の（ｆｉｒｓｔ）」、および「第２の（ｓｅｃｏｎｄ）」などは複数を除外しない。
特許請求の範囲における参照符号は、明瞭な例として単に提供されており、如何なる意味においても特許請求の範囲の範囲を限定すると解釈されてはならない。
【図１】
0005571687.tif 000002
【図２ａ】
0005571687.tif 000003
【図２ｂ】
0005571687.tif 000004
【図３】
0005571687.tif 000005
【図４】
0005571687.tif 000006